(57)【要約】      （修正有）【課題】角度スケールを走査するための走査ユニットおよび走査ユニットを備えた角度測定装置を提供する。【解決手段】走査ユニット１は、第１の表面を有する基板１．４と、角度位置に依存する信号を生成するための検出器１．１と、電子部品を含む評価電子機器１．２とを含み、評価電子機器の電子部品は注型コンパウンド１．５に囲まれており、走査ユニットは、評価電子機器から後続の電子機器への接続を確立するための電気インターフェース１．３を含む。検出器と電子部品と電気インターフェースとは、基板の第１の表面１．４１．上に配置されている。電子部品と電気インターフェースとは、検出器よりも回転軸Ａから離れて位置付けられているように配置されており、注型コンパウンドは回転軸に対して基板の第１の表面に周回して配置されている。【選択図】図１
2020139946.tif 000002
【特許請求の範囲】
【請求項１】
角度スケール（２）を走査するための角度測定装置用走査ユニット（１）であって、その結果、前記走査ユニット（１）と前記角度スケール（２）との間の相対的な角度位置を回転軸（Ａ）の周りで規定することができ、前記走査ユニット（１）は、
−  第１の表面（１．４１）を有する基板（１．４）と、
−  前記角度位置に依存する信号を生成するための、少なくとも１つの検出器（１．１）と、
−  複数の電子部品（１．２１）を含む評価電子機器（１．２）とを含み、前記評価電子機器（１．２）の電子部品（１．２１）は、注型コンパウンド（１．５）に囲まれており、前記走査ユニット（１）は、また、
−  前記評価電子機器（１．２）から後続の電子機器への接続を確立するための電気インターフェース（１．３）を含み、
前記少なくとも１つの検出器（１．１）と、前記電子部品（１．２１）と、前記電気インターフェース（１．３）とは、前記基板（１．４）の前記第１の表面（１．４１）上に配置されており、
前記電子部品（１．２１）と前記電気インターフェース（１．３）とは、これらが前記少なくとも１つの検出器（１．１）よりも前記回転軸（Ａ）からさらに離れて位置付けられているように配置されており、
前記注型コンパウンド（１．５）は、前記回転軸（Ａ）に対して、前記基板（１．４）の前記第１の表面（１．４１）に周回して配置されている、走査ユニット。
【請求項２】
請求項１に記載の走査ユニット（１）において、
前記基板（１．４）が少なくとも０．５ｍｍの厚さ（Ｄ）を有する、走査ユニット。
【請求項３】
請求項２に記載の走査ユニット（１）において、
前記基板（１．４）が金属層（１．４４）を有し、前記金属層（１．４４）が少なくとも０．５ｍｍの厚さ（ｄ）を有する、走査ユニット。
【請求項４】
請求項１乃至３のいずれか一項に記載の走査ユニット（１）において、
前記基板（１．４）が、前記第１の表面（１．４１）に対向して配置されている第２の表面（１．４２）を有し、前記第２の表面（１．４２）には電子部品（１．２１）が配置されていない、走査ユニット。
【請求項５】
請求項１乃至４のいずれか一項に記載の走査ユニット（１）において、
前記検出器（１．１）が少なくとも１つの受信巻線（１．１１）として構成されている、走査ユニット。
【請求項６】
請求項５に記載の走査ユニット（１）において、
前記走査ユニット（１）が、前記基板（１．４）の前記第１の表面（１．４１）に配置されている少なくとも１つの励磁巻線（１．１２）を有する、走査ユニット。
【請求項７】
請求項１乃至６のいずれか一項に記載の走査ユニット（１）において、
前記基板（１．４）が、シール要素（１．７）の半径方向外側に配置されている少なくとも１つの取付要素（１．４３）を有する、走査ユニット。
【請求項８】
請求項１乃至７のいずれか一項に記載の走査ユニット（１）において、
前記基板（１．４）が、前記注型コンパウンド（１．５）の半径方向外側に延びる縁部領域を有する、走査ユニット。
【請求項９】
請求項８に記載の走査ユニット（１）において、
前記基板（１．４）が、前記縁部領域に配置されている少なくとも１つの取付要素（１．４３）を有する、走査ユニット。
【請求項１０】
請求項１に記載の走査ユニット（１）と、角度スケール（２）とを備えた角度測定装置であって、前記角度スケール（２）は、前記走査ユニット（１）に対して相対的に回転軸（Ａ）を中心として回転可能に配置されており、前記走査ユニット（１）と前記角度スケール（２）との間の相対的な角度位置が測定可能であり、前記走査ユニット（１）は、前記角度スケール（２）に対して相対的に軸方向にずれて配置されている、角度測定装置。
【請求項１１】
請求項１０に記載の角度測定装置において、
前記角度スケール（２）が前記注型コンパウンド（１．５）の半径方向内側に配置されている、角度測定装置。
【請求項１２】
請求項１０または１１に記載の角度測定装置において、
前記角度測定装置が、誘導角度測定装置として構成されている、角度測定装置。
【請求項１３】
請求項１０乃至１２のいずれか一項に記載の角度測定装置において、
前記角度スケール（２）が、一定の間隔で分割構造としての導電性面を有する、角度測定装置。
【請求項１４】
請求項１０乃至１３のいずれか一項に記載の角度測定装置において、
前記角度スケール（２）が、導電性材料から形成されており、一定の間隔で分割構造としての凸凹を有する、角度測定装置。
【請求項１５】
請求項１０乃至１４のいずれか一項に記載の角度測定装置において、
前記角度測定装置が、ベアリングなしで構成されている、角度測定装置。
【発明の詳細な説明】
【技術分野】
【０００１】
角度測定装置は、例えば互いに対して相対的に回転可能な２つの機械部品の角度位置を決定するためのロータリーエンコーダにおいて使用される。
誘導角度測定装置の走査ユニットでは、導体路の形状の励磁巻線および受信巻線が、多くの場合、例えばエンコーダの固定子に固定接続されている回路基板などの共通の基板に被着される。この基板に対向して別の構成部材があり、角度スケールとしてのこの構成部材上に、周期的に間隔をあけた分割構造としての導電性面が被着されており、導電性面はロータリーエンコーダの回転子に回転不動に接続されている。励磁場が励磁巻線に印加されると、回転子と固定子との間の相対回転中に、角度位置に応じた信号が受信巻線または受信コイルに生成される。そしてこれらの信号は、評価電子機器においてさらに処理される。
【０００２】
原則として、一体型ベアリングを備えた角度測定装置と、一体型ベアリングを備えていない角度測定装置（以下、ベアリングレス角度測定装置と呼ぶ）とは区別される。一体型ベアリングを備えた角度測定装置は、通常、比較的小さい転がりベアリングを有しているため、互いに対して相対的に回転可能な部材グループ、特に走査ユニットおよび角度スケールは、該当する角度測定装置内の定義された軸方向および半径方向の位置に互いに対して相対的に配置されている。これに対して、（電動）モータなどの機械に取り付ける際のベアリングレス角度測定装置の場合、互いに対して回転可能な部材グループが正しい位置に、特に互いに対して正しい軸距離で固定されることに注意する必要がある。該当するする機械またはモータは作動中に頻繁に発熱するため、角度測定装置、特に走査ユニットは、そのコンポーネントが過度の温度に曝されていないように構成されていると有利である。
【背景技術】
【０００３】
ＥＰ３３５５０３２Ａ１には、支持基板を有する角度測定装置が記載されており、検出器信号の評価電子機器は、検出器に対向する基板側に配置されている。
【先行技術文献】
【特許文献】
【０００４】
【特許文献１】ＥＰ３３５５０３２Ａ１
【発明の概要】
【発明が解決しようとする課題】
【０００５】
本発明の基礎となる課題は、経済的に製造可能であり、その取り付けに関して利点を有する走査ユニットを生成することである。
【課題を解決するための手段】
【０００６】
この課題は、本発明によれば、請求項１の特徴によって解決される。
それによれば、本発明は、角度スケールを走査するための角度測定装置用走査ユニットを含み、その結果、走査ユニットと角度スケールとの間の相対的な角度位置を回転軸の周りで規定することができる。走査ユニットは、第１の表面を有する基板を含む。加えて、走査ユニットは、角度位置に依存する信号を生成するのに適した、少なくとも１つの検出器を含む。また、走査ユニットは、信号を評価するために少なくとも１つの検出器に電気的に接続された複数の電子部品を含む評価電子機器を含む。加えて、評価電子機器の電子部品は、注型コンパウンドに囲まれている。さらに、走査ユニットは、評価電子機器から後続の電子機器への接続を確立するための電気インターフェースを含む。少なくとも１つの検出器と、電子部品と、電気インターフェースとは、基板の第１の表面上に配置されている。電子部品と電気インターフェースとは、これらが少なくとも１つの検出器よりも回転軸からさらに離れて位置付けられているように配置されている。注型コンパウンドは、回転軸に対して基板の第１の表面に周回して配置されているため、特に電子部品と電気インターフェースとは、注型コンパウンドに対して軸方向内側に位置して配置されている。
【０００７】
角度依存信号は、特に、角度スケールと走査ユニットとの間の相対的な角度位置に関する情報を含む信号である。
電気インターフェースという用語は、直接接触する、すなわち互いに接触する複数の導電性部材間の導電性接続と理解されるべきである。これは、例えば、プラグイン装置またはケーブルダイレクト接続などの電気的結合装置であり得る。
【０００８】
注型コンパウンドが回転軸に対して周回して配置されているという表現は、以下では、注型コンパウンドが、例えば閉じた状態で、軸周りを３６０°周回して配置されていることを表す。同様に、この表現は、周回型セグメントによる注型コンパウンドの開放された状態での配置を意味することもできるため、この場合、注型コンパウンドが軸周りを約２７０°、１８０°、または１２０°周回して配置されている。同様に、この表現には、注型コンパウンドが断続的に、軸周りを３６０°周回して配置されている配置構成も含まれている。
【０００９】
注型コンパウンドは、特に、１つのリングセグメントまたは複数のリングセグメントからなる、例えば閉じた、または開いた、または断続的なリングとして、リング形状または円環形状で構成されている。
【００１０】
基板は、有利には少なくとも０．５ｍｍの厚さを有する。特に、基板は、検出器、評価電子機器、およびインターフェースの支持体として機能するだけでなく、機械的な支持要素として構成されていることもできる。特にこの態様では、基板は、少なくとも０．５ｍｍの厚さを持つ金属層を有することができるため、金属層は支持要素として機能する。同時に、このように構成された基板は、特に評価電子機器の領域からの熱を比較的うまく放散できる。
【００１１】
基板は、有利には平坦であるように、すなわち湾曲しないように構成されている。
本発明のさらなる形態では、基板は、第１の表面に対向して配置されている第２の表面を有し、第２の表面には電子部品、および／またはインターフェース、および／または検出器が配置されていない。特に、第２の表面は、略平坦または略滑らかな面であってよい。例えば、基板の第２の表面は、同時にハウジング部分またはモータのハウジング外側面の一部として機能することができる。
【００１２】
走査ユニットは、有利には誘導原理によって動作するように構成されている。特に、この場合、検出器は少なくとも１つの受信巻線として構成されている。
本発明のさらなる形態では、走査ユニットは、基板の第１の表面に配置されている少なくとも１つの励磁巻線を有する。
【００１３】
基板は、有利には、シール要素の半径方向外側に配置されている少なくとも１つの取付要素を有する。例えば、取付要素は、穴またはクリップとして構成されていることができる。シール要素は、例えば、基板上に加硫された例えばＯリングまたはシールコードであり得る。
【００１４】
基板は、有利には、注型コンパウンドの半径方向外側に延びる縁部領域を有する。特に、縁部領域は、注型コンパウンドの周囲を中断することなく周回して延びているため、注型コンパウンド全体の半径方向外側に基板の縁部領域がある。特に、基板は、縁部領域に配置されている少なくとも１つの取付要素を有することができる。
【００１５】
さらなる一態様によれば、本発明は、走査ユニットおよび角度スケールを備えた角度測定装置を含み、角度スケールは、走査ユニットに対して相対的に回転軸を中心として又はその周りで回転可能に配置されており、走査ユニットと角度スケールとの間の相対的な角度位置が測定可能又は決定可能である。ここで、走査ユニットは、角度スケールに対して相対的に軸方向にずれて配置されている。
【００１６】
角度スケールは、有利には、注型コンパウンドの半径方向内側に配置されている。特に、注型コンパウンドの軸方向延伸に対する軸方向のずれは非常に小さいため、注型コンパウンドは角度スケールの半径方向外側に配置されている。すなわち、角度スケールは、注型コンパウンドによって周回して囲まれた（空気）体積に軸方向に入り込む。
【００１７】
本発明のさらなる一形態によれば、角度測定装置は、誘導角度測定装置として構成されている。
本発明のさらなる形態では、角度スケールは、一定の間隔で又は周期的な間隔で分割構造としての導電性面を有する。
【００１８】
角度スケールは、有利には、一定の間隔で又は周期的な間隔で分割構造としの凸凹を有する導電性材料で形成、作成、又は製造されている。これらの配置構成は、特に走査ユニットが誘導原理によって動作する場合に使用できる。
【００１９】
角度測定装置は、有利にはベアリングなしで構成されている。
誘導角度測定装置は、角度スケールがその周囲の大部分にわたって、走査ユニットまたは受信巻線によって走査可能に構成されている場合が多く、したがって角度依存信号を生成できる。代替的に、角度測定装置は、角度スケールが全周にわたって分布する複数の走査点によって走査されるように構成することができる。
【００２０】
本発明の有利な形態は、従属請求項に記載されている。
本発明にかかる走査ユニットのさらなる詳細および利点は、添付の図面を参照した一実施例の以下の説明から分かる。
【図面の簡単な説明】
【００２１】
【図１】走査ユニットの上面図である。
【図２】走査ユニットの詳細図である。
【図３】走査ユニットの断面図である。
【図４】走査ユニットを備えた角度測定装置の断面図である。
【図５】角度測定装置の上面図である。
【発明を実施するための形態】
【００２２】
図面には、角度スケール２（例えば図４を参照）を走査するための角度測定装置における走査ユニット１のための一実施例が示されており、走査ユニット１と角度スケール２との間の回転軸Ａ周りの相対的な角度位置は、角度測定装置によって決定できる。したがって、走査ユニット１は、とりわけ、必然的に第１の表面１．４１および第１の表面１．４１に対向する第２の表面１．４２を有する基板１．４（図２を参照）を含む。加えて、提示された実施例の、略平坦で正方形の基板１．４は、比較的中実の金属層１．４４も有しており、金属層１．４４はここでは１．０ｍｍの厚さｄを有する。この金属層１．４４上に、例えばラッカーまたはフィルムなどの例えばポリイミド層として構成された電気絶縁層または誘電層１．４５がある。誘電体層１．４５は、金属層１．４４に比べて薄く、提示された実施例では２０μｍの厚さを有する。したがって、ここでは、基板１の厚さＤは１．０２ｍｍである。誘電体層１．４５上には導体路が作成される。
【００２３】
提示された実施例では、走査ユニット１は、誘導測定原理に基づいている。したがって、第１の表面１．４１に配置されている検出器１．１は、複数の受信巻線１．１１として構成されている。加えて、複数の励磁巻線１．１２が第１の表面１．４１に配置されている。提示された実施例では、受信巻線１．１１および励磁巻線１．１２は、回転軸Ａの周りに略同心円状に配置されている。
【００２４】
検出器１．１によって生成できる信号は、導体路を介して伝送され、評価電子機器１．２において処理できる。図５には、例えば、基板１．４上の環状領域に取り付けられている評価電子機器１．２の電子部品１．２１が示されている。さらに、基板１．４上にインターフェース１．３が取り付けられており、これは、ここではプラグコネクタまたは電気結合部として構成されており、特に、複数の電気接点１．３２を包含する接点支持体１．３１を有する（図３）。したがって、後続の電子機器への接続ケーブルをインターフェース１．３に接続できる。
【００２５】
評価電子機器１．２の電子部品１．２１と、インターフェース１．３またはコンタクト支持体１．３１との両方が、基板１．４上に取り付けられた後に鋳造され、図１にかかるリング状注型コンパウンド１．５が生じる。図５には、評価電子機器１．２の電子部品１．２１を表すために、リング状注型コンパウンド１．５の１つのセグメントを開けて示している。
【００２６】
提示された実施例では、図では開けられていない領域の注型コンパウンド１．５の体積内に、評価電子機器１．２のさらなる電子部品１．２１がある。したがって、注型コンパウンド１．５は、回転軸Ａに対して周回して、基板１．４の第１の表面１．４１上に配置されている。注型コンパウンド１．５の内縁および注型コンパウンド１．５の外縁は面取りされるように構成されており、注型コンパウンド１．５の外縁はシール要素１．７の半径方向の支持を形成する。提示された実施例では、シール要素１．７はＯリングとして構成されている。シール要素１．７は、注型コンパウンド１．５に対して半径方向に支持されている（図４）。
【００２７】
代替的に、注型コンパウンドの外縁がアンダーカットを有してもよいため、このアンダーカットでＯリングが特に軸方向に保持される。
角度測定装置は、走査ユニット１および角度スケール２を含み、走査ユニット１および角度スケール２は、回転軸Ａの周りで互いに対して相対的に回転可能に配置されている。相対的な回転可能性を得るために、現在の角度測定装置には一体型ベアリング、すなわち、転がりベアリングまたは滑りベアリング（ベアリングなしの角度測定装置）は設けられていない。むしろ、走査ユニット１は第１の機械部品に取り付けられ、角度スケール２は第２の機械部品に取り付けられる。ここで、第１の機械部品は、第２の機械部品に対して相対的に回転可能に配置されている。走査ユニット１および角度スケール２は、空隙によって分離されて互いに対向している。
【００２８】
走査ユニット１は、挿入物１．６が固定されている穴１．４３を用いて第１の機械部品に、例えばねじ接続によって取り付けることができる。第１の機械部品は、特にモータのハウジングであり得る。基板１．４または金属層１．４４は、支持要素として機能し、例えば、同時にモータのハウジング用のカバーとして機能することができる。電子部品も、インターフェースまたは検出器も、第２の表面１．４２に配置されていないため、第２の表面１．４２はモータの外側面の一部として適している。
【００２９】
モータのハウジングは、シール要素１．７が押し付けられる周回壁を有することができる。
角度測定装置の角度スケール２上には、シャフト２．１が、例えば機械シャフトまたはモータシャフトに固定して回転不動に取り付けるために回転不動に取り付けられている。角度スケール２は、導電性および非導電性領域、すなわち異なる導電性の領域が周期的順序で、かつ同じ分割ステップで設けられているリング状の回路基板からなる。シャフト２．１を備えた角度スケール２は、多くの場合回転子とも呼ばれ得る。
【００３０】
走査ユニット１上の励磁巻線１．１２によって、角度測定装置の動作中に均一な交番磁界が生成され、これはシャフト２．１の角度位置または回転角度に応じて、角度スケール２によって変調される。走査ユニット１上にもある受信巻線１．１１では、変調電磁場によって角度依存信号が生成される。
【００３１】
提示された実施例では、角度測定装置は、いわゆる全周走査によって構成されている。つまり、特に、走査ユニット１は、角度スケール２が走査ユニット１または受信巻線１．１１によってほぼ全周にわたって走査可能であり、そうして角度依存信号が生成可能であるように構成されている。すなわち、角度スケール２のほぼ完全な分割構造は、相対的な角度位置の情報を含む信号を得るために、走査ユニット１により走査される。
【００３２】
このように生成された信号は、その後評価電子回路１．２に供給され、そこでさらに処理される。信号は、これが常に一定の信号振幅またはレベルを有するように、制御ユニットにおいて制御される。
【００３３】
評価電子回路１．２では、角度スケール２の角度位置または位置値は、信号に基づいて決定される。また、角度スケール２の角度位置および回転速度は、さらなる電子処理のために後続の電子機器に転送される。
【図１】
2020139946.tif 000003
【図２】
2020139946.tif 000004
【図３】
2020139946.tif 000005
【図４】
2020139946.tif 000006
【図５】
2020139946.tif 000007
【外国語明細書】
2020139946000001.pdf